(57)【要約】【課題】被写体光量が少なく暗い場合であっても又は高輝度下でモニタ装置が見えにくい場合であっても、被写体像を観察し易いようにしたスルー画表示可能なデジタル一眼レフカメラを提供する。【解決手段】撮影レンズ１０１を通過した被写体光束を受光するメインＣＣＤ２２１またはファインダ内ＣＣＤ２７９の出力に基づいて、液晶モニタ２６に被写体像をカラーでスルー画表示し（ステップＳ９、Ｓ７３）、被写体輝度に応じた値（ＴＶ１−ＳＶ１）を求め、この値が所定値αよりも低い場合、若しくは所定値βよりも高い場合には、被写体像の輪郭表示に切り換える（ステップＳ３５１、Ｓ３５２、Ｓ３５３）。【選択図】  図７
2007258978.tif 000002
【特許請求の範囲】
【請求項１】
被写体光束を受光し、被写体像に関する信号を出力する撮像素子と、
この撮像素子の出力に基づいて、被写体像をモニタに表示するためのスルー画表示手段と、
被写体輝度を測定する測光手段と、
上記スルー画表示手段による上記被写体像の表示にあたって、上記被写体輝度に関連する値が所定条件に該当する場合に、カラー画像表示から上記被写体像の輪郭表示に切り換える表示切換手段と、
を具備したことを特徴とするデジタル一眼レフカメラ。
【請求項２】
上記表示切換手段は、電子シャッタスピード及び／又は感度に基づく値が第１の所定値より低い場合には、上記輪郭表示への上記切換動作を実行することを特徴とする請求項１に記載のデジタル一眼レフカメラ。
【請求項３】
上記表示切換手段は、電子シャッタスピード及び／又は感度に基づく値が第２の所定値より高い場合には、上記輪郭表示への上記切換動作を実行することを特徴とする請求項１に記載のデジタル一眼レフカメラ。
【請求項４】
上記電子シャッタスピード及び／又は感度に基づく値は、狙いとする画像明度と前回撮像時の画像明度との差、前回撮像時の絞り値、現在設定の絞り値、前回の電子シャッタスピード、前回撮像時の感度のいずれかを用いて決定することを特徴とする請求項２又は３に記載のデジタル一眼レフカメラ。
【請求項５】
上記電子シャッタスピード及び／又は感度に基づく値は、測光センサの出力に基づいて決定することを特徴とする請求項２又は３に記載のデジタル一眼レフカメラ。
【請求項６】
スルー画表示機能を有するデジタルカメラにおけるスルー画表示方法であって、
撮影レンズを通過した被写体光束を受光する撮像素子の出力に基づいて、モニタに被写体像をカラーでスルー画表示し、
被写体輝度に応じた値を検出し、
この値が第１の所定値よりも低い場合、若しくは第２の所定値よりも高い場合には、上記被写体像の輪郭表示に切り換えるようにしたことを特徴とするデジタル一眼レフカメラにおけるスルー画表示方法。
【請求項７】
被写体光束を受光し、被写体像に関する信号を出力する撮像素子と、
この撮像素子の出力に基づいて、被写体像をモニタに表示するための表示手段と、
輝度を測定する測光手段と、
上記表示手段による上記被写体像の表示にあたって、上記輝度に関連する値が所定条件に該当する場合に、カラー画像表示から上記被写体像の輪郭表示に切り換える表示切換手段と、
を具備したことを特徴とするデジタルカメラ。
【請求項８】
上記表示切換手段は、上記輝度に関連する値に基づき、高輝度であると判定された場合には、上記輪郭表示に切換えることを特徴とする請求項７に記載のデジタルカメラ。
【請求項９】
上記表示切換手段は、上記輝度に関連する値に基づき、低輝度であると判定された場合には、上記輪郭表示に切換えることを特徴とする請求項７に記載のデジタルカメラ。
【請求項１０】
上記表示切換手段は、その切換にあたってヒステリシス特性を持たせたことを特徴とする請求項７に記載のデジタルカメラ。
【発明の詳細な説明】
【技術分野】
【０００１】
本発明は、スルー画表示機能を有するデジタル一眼レフカメラに関し、詳しくは、撮像素子で取得した画像を表示装置に表示する所謂スルー画表示機能（ライブビュー表示機能、電子ファインダ機能とも言う）を有するデジタル一眼レフカメラに関する。
【背景技術】
【０００２】
従来のコンパクトデジタルカメラにおいては、被写体像の観察は、光学式ファインダにより行っていたが、最近は、光学式ファインダをなくし、代わりに被写体画像データの記録用に設けられている撮像素子の出力を表示にも利用している。即ち、撮像素子で取得した画像を、被写体像観察用に液晶モニタ等の表示装置によって表示するスルー画像表示機能を有しているものが多くなってきている。
【０００３】
このようなスルー画表示機能は、例えば、パララックスが生じないためマクロ撮影時等に有効であり、このためデジタル一眼レフカメラに搭載した例も種々提案されている。例えば、一眼レフファインダの光路内にミラーを配置し、光束の一部を撮像素子に導き、この撮像素子で撮像した被写体像を表示装置に観察用に表示するデジタル一眼レフカメラが提案されている（特許文献１）。また、光学ファインダ表示モードと電子ファインダ表示モードを選択可能とし、電子ファインダ表示モードが選択されたときには、可動ミラーを撮影光路から退避させるとともにフォーカルプレーンシャッタを全開状態にして被写体像を撮像素子に導き、それによって得られた被写体像を観察用に液晶モニタに表示するようにしたデジタル一眼レフカメラが提案されている（特許文献２）
【特許文献１】特開２０００−１７５１００
【特許文献２】特開２００２−３６９０４２
【発明の開示】
【発明が解決しようとする課題】
【０００４】
このスルー画表示にあたって用いるＣＣＤ等の撮像素子は、電荷蓄積時間を調整することによって電子的に露光時間を調整可能である（電子シャッタ）。また、撮像素子の出力信号を増幅するアンプのゲインを調整することによって、見かけ上の感度を調整可能である。したがって、被写体輝度が暗い場合には、電子シャッタスピードを長くしたり、感度をアップする（アンプゲインを高める）ことにより、ある程度の被写体輝度の変化に対応できる。しかし、アンプのゲインを高くすると、ざらざらしたノイズの多い画像になってくる。スルー画表示において、ノイズの多い画像は非常に見苦しいものである。また、液晶等のモニタ装置は、日中の屋外等、高輝度環境においてはモニタ画面が見え難いという問題があり、撮影者はモニタ部分に影を作るためのアクセサリーを取り付ける等の工夫を行っている。  
【０００５】
本発明は、このような事情を鑑みてなされたものであり、被写体光量が少なく暗い場合であっても又は高輝度下でモニタ装置が見えにくい場合であっても、被写体像を観察し易いようにしたスルー画表示可能なデジタル一眼レフカメラを提供することを目的とする。
【課題を解決するための手段】
【０００６】
上記目的を達成するため第１の発明に係わるデジタル一眼レフカメラは、被写体光束を受光し、被写体像に関する信号を出力する撮像素子と、この撮像素子の出力に基づいて、被写体像をモニタに表示するためのスルー画表示手段と、被写体輝度を測定する測光手段と、  上記スルー画表示手段による上記被写体像の表示にあたって、上記被写体輝度に関連する値が所定条件に該当する場合に、カラー画像表示から上記被写体像の輪郭表示に切り換える表示切換手段を具備したことを特徴とする。
【０００７】
また、第２の発明に係わるデジタル一眼レフカメラは、上記第1の発明において、上記表示切換手段は、電子シャッタスピード及び／又は感度に基づく値が第１の所定値より低い場合には、上記輪郭表示への上記切換動作を実行することを特徴とする。
さらに、第３の発明に係わるデジタル一眼レフカメラは、上記第1の発明において、上記表示切換手段は、電子シャッタスピード及び／又は感度に基づく値が第２の所定値より高い場合には、上記輪郭表示への上記切換動作を実行することを特徴とする。
【０００８】
また、第４の発明に係わるデジタル一眼レフカメラは、上記第２又は第３の発明において、上記電子シャッタスピード及び／又は感度に基づく値は、狙いとする画像明度と前回撮像時の画像明度との差、前回撮像時の絞り値、現在設定の絞り値、前回の電子シャッタスピード、前回撮像時の感度のいずれかを用いて決定することを特徴とする。
さらに、第５の発明に係わるデジタル一眼レフカメラは、上記第２又は第３の発明において、上記電子シャッタスピード及び／又は感度に基づく値は、測光センサの出力に基づいて決定することを特徴とする。
【０００９】
上記目的を達成するため第６の発明に係わるスルー画表示方法は、スルー画表示機能を有するデジタルカメラにおけるスルー画表示方法であって、撮影レンズを通過した被写体光束を受光する撮像素子の出力に基づいて、モニタに被写体像をカラーでスルー画表示し、  被写体輝度に応じた値を検出し、この値が第１の所定値よりも低い場合、若しくは第２の所定値よりも高い場合には、上記被写体像の輪郭表示に切り換えるようにしたことを特徴とする。
【００１０】
上記目的を達成するため第７の発明に係わるデジタルカメラは、被写体光束を受光し、被写体像に関する信号を出力する撮像素子と、この撮像素子の出力に基づいて、被写体像をモニタに表示するための表示手段と、輝度を測定する測光手段と、上記表示手段による上記被写体像の表示にあたって、上記輝度に関連する値が所定条件に該当する場合に、カラー画像表示から上記被写体像の輪郭表示に切り換える表示切換手段を具備する。
また、第８の発明に係わるデジタルカメラは、上記第７の発明において、上記表示切換手段は、上記輝度に関連する値に基づき、高輝度であると判定された場合には、上記輪郭表示に切換える。
さらに、第９の発明に係わるデジタルカメラは、上記第７の発明において、上記表示切換手段は、上記輝度に関連する値に基づき、低輝度であると判定された場合には、上記輪郭表示に切換える。
さらに、第１０の発明に係わるデジタルカメラは、上記第７の発明において、上記表示切換手段は、その切換にあたってヒステリシス特性を持たせる。
【発明の効果】
【００１１】
本発明のデジタル一眼レフカメラは、スルー画表示手段による被写体像の表示にあたって、被写体輝度に関連する値が所定条件に該当する場合に、カラー画像表示から被写体像の輪郭表示に切り換える表示切換手段を具備するようにしたので、被写体光量が少なく暗い場合であっても又は高輝度下でモニタ装置が見えにくい場合であっても、被写体像を観察し易いようにしたデジタル一眼レフカメラを提供することができる。
また、本発明のスルー画表示方法は、被写体輝度に応じた値を検出し、この値が第１の所定値よりも低い場合、若しくは第２の所定値よりも高い場合には、被写体像の輪郭表示に切り換えるようにしたので、被写体光量が少なく暗い場合であっても又は高輝度下でモニタ装置が見えにくい場合であっても、被写体像を観察し易いようにしたスルー画表示方法を実施することができる。
さらに、本発明のデジタルカメラは、表示手段による被写体像の表示にあたって、輝度が所定条件に該当する場合に、カラー画像表示から被写体像の輪郭表示に切り換える表示切換手段を具備するようにしたので、光量が少なく暗い場合であっても又は高輝度下で表示装置が見えにくい場合であっても、被写体像を観察し易いようにしたデジタルカメラを提供することができる。
【発明を実施するための最良の形態】
【００１２】
以下、図面を参照してこの発明の一実施形態を説明する。
図１は、この発明が適用されたデジタル一眼レフカメラの外観斜視図である。この一眼レフカメラは、カメラ本体２０と、交換レンズとしてのレンズ鏡筒１０とから構成されている。レンズ鏡筒１０はカメラ本体２０の前面のマウント部に着脱自在となっている。なお、本実施形態では、レンズ鏡筒１０とカメラ本体２０は別体で構成され、図示しない通信接点を介して電気的に接続されているが、レンズ鏡筒１０とカメラ本体２０を一体に構成することも可能である。
【００１３】
カメラ本体２０の上面にはレリーズ釦２１、モードダイヤル２２、パワースイッチレバー２３、コントロールダイヤル２４等が配置されている。レリーズ釦２１は、撮影者が半押しするとオンする第１レリーズスイッチと、全押しするとオンする第２レリーズスイッチを有している。この第１レリーズスイッチ（以下、１Rと称する）のオンによりカメラは焦点検出、撮影レンズのピントあわせ、被写体輝度の測光等の撮影準備動作を行い、第２レリーズスイッチ（以下、２Rと称する）のオンにより撮像素子の出力に基づいて被写体像の画像データの取り込みを行う撮影動作を実行する。
【００１４】
モードダイヤル２２は回転可能に構成された操作部材であり、モードダイヤル上の図示しない撮影モードを表す絵表示を指標に合致させることにより、プログラムモード、絞り優先モード、シャッタ優先モード、ポートレートモード、オートモード等の撮影モードを選択することができる。パワースイッチレバー２３はデジタル一眼レフカメラの電源のオン・オフを行うための操作部材であり、オン・オフの２つの位置に回動可能に構成されている。コントロールダイヤル２４は、シャッタ速度、絞り値、感度、補正値等の撮影情報の設定を行うための操作部材であり、回転操作により種々の設定値の変更を行うことができる。
【００１５】
カメラ本体２０の背面には、液晶モニタ２６、再生釦２７、メニュー釦２８、十字キー３０、ＯＫ釦３１、ファインダ３３、スルー画切換釦３４、表示切換釦３５、プレビュー釦３６が配置されている。再生釦２７は、撮影後に液晶モニタ２６に記録した被写体画像表示を指示するための操作釦である。後述するＳＤＲＡＭ２３７や記録媒体２４５にＪＰＥＧ等の圧縮モードで記憶されている被写体の画像データを伸張して表示する。十字キー３０は液晶モニタ２６上で、X方向とＹ方向の2次元方向にカーソルの移動を指示するための操作部材である。OK釦３１は、十字キー３０等によって選択された各種項目を確定するための操作部材である。メニュー釦２８は、メニューモードに切換えるための釦であり、この釦２８の操作によってメニューモードを選択すると、液晶モニタ２６にメニュー画面が表示される。メニュー画面は複数の階層構造となっており、十字キー３０で各種項目を選択し、ＯＫ釦３１の操作により選択を決定する。
【００１６】
表示切換釦３５は、撮像素子の出力に基づいて液晶モニタ２６に被写体像を表示するスルー画表示に切換えるための操作部材である。スルー画表示にあたって後述するように本実施形態のデジタル一眼レフカメラでは、Aモード表示とBモード表示の２種類があり、スルー画切換釦３４はこれら２つのモード表示を切換えるための操作釦である。プレビュー釦３６は、被写体像の観察時に焦点深度を確認するために、撮影レンズの絞りを開放状態から絞り込むための指令を出すための操作釦である。これらの再生釦２７、メニュー釦２４、スルー画切換釦３４、表示切換釦３５、プレビュー釦３６はいずれもオン・オフスイッチと連動しており、操作釦の操作に応じて発生する信号が後述するＡＳＩＣ(Application Specific Integrated Circuit  特定用途向け集積回路)２６３に送信される。液晶モニタ２６は、被写体像を観察用にスルー画として表示したり、撮影済みの被写体像を再生表示したり、カメラ情報やメニューを表示するための表示装置である。これらの表示を行うことができるものであれば、液晶に限らない。図示されないが、カメラ本体２０に対して角度を自在に変更できるよう構成されている。
【００１７】
図２は、本発明の実施形態に係わるデジタル一眼レフレックスカメラの光学的な概略構成を示すブロック図である。
レンズ鏡筒１０の内部に配置された撮影レンズ１０１の光軸上であって、カメラ本体２０内に第１反射ミラー２０１が配置されている。この第１反射ミラー２０１は、被写体光束をファインダ光学系に反射するために撮影レンズ１０１の光軸に対して４５度傾いた位置と、被写体像を撮像素子(後述のメインＣＣＤ（Charge Coupled Device）２２１)に導くために、撮影光路から退避した位置とに回動可能となっている。第1反射ミラー２０１の回動軸２０１ａはカメラ本体２０の高さ方向に沿っており、符号Ｒ回りに回動可能となっている。この第１反射ミラー２０１によって、カメラ本体２０の前面からみて右方に被写体光束を全反射する。なお、本実施形態では、右方に全反射しているが、これに限らず、カメラ本体の上方でも左方でも、被写体光束の反射方向は機構部材や光学部材の配置上、最も適切になるように選択してよい。また、光路変更部材として、可動ミラーを使用しているが、これに限らず、透過状態と反射状態を電気的に切換可能な液晶ミラー等、光路を変更できる部材であればよい。
【００１８】
第1反射ミラー２０１の反射光軸上にスクリーンマット２０５が配置され、この後方にハーフミラーで構成された第２反射ミラー２７１が配置されている。スクリーンマット２０５は撮影レンズ１０１による被写体光束を結像させるためのマット面であり、第１反射ミラー２０１からの距離がメインＣＣＤ２２１（図３参照）と等価な位置に配設されている。第２反射ミラー２７１はカメラ本体２０の上方に被写体光束の一部を反射させ、残りの被写体光束は第２反射ミラー２７１を透過し、後方に配置された測光用センサ２８１に入射する。測光用センサ２８１は被写体輝度を測定するための７×７の分割測光センサであり、ＡＳＩＣ２６３内の入出力回路２３９に接続されている。
【００１９】
第２反射ミラー２７１の反射光軸上に第３反射ミラー２７３が配置されており、この第３反射ミラー２７３によって、カメラ本体２０の上部左方に被写体光束が全反射される。この第３反射ミラー２７３の反射光軸上にハーフミラーで構成される第４反射ミラー２７５が配置されている。この第４反射ミラー２７５の透過光軸上には、結像レンズ２７７と二次元撮像素子としてファインダ内ＣＣＤ２７９が配置されている。ファインダ内ＣＣＤ２７９は、スクリーンマット２０５上に形成された被写体像を光電信号に変換しＣＣＤ駆動回路２８３（図３）に出力する。また、第４反射ミラー２７５はカメラ本体２０の後方に残りの被写体光束を反射し、この反射光軸上に接眼レンズ２０９が配置されている。第４反射ミラーで反射された被写体光束は、接眼レンズ２０９、ファインダ３３（図１）を通して撮影者Ｅによって被写体像として観察される。
【００２０】
図３は、本実施形態に係るデジタル一眼レフカメラの全体構成を示すブロック図である。
レンズ鏡筒１０の内部には、ピント調節および焦点距離調節用の撮影レンズ１０１ａ、１０１ｂと、開口量を調節するための絞り１０３が配置されている。レンズ１０１ａおよびレンズ１０１ｂはレンズ駆動機構１０７によって駆動され、絞り１０３は絞り駆動機構１０９によって駆動される。これらのレンズ駆動機構１０７、絞り駆動機構１０９はそれぞれレンズＣＰＵ１１１に接続されており、このレンズＣＰＵ１１１は図示しない通信接点を介してカメラ本体２０に接続されている。レンズＣＰＵ１１１はレンズ鏡筒１０内の制御を行うものであり、レンズ駆動機構１０７を制御してピント合わせや、ズーム駆動を行うとともに、絞り駆動機構１０９を制御して絞り値制御を行う。
【００２１】
カメラ本体２０内には、前述した第１反射ミラー２０１が配置されており、第１反射ミラー２０１の右方（図３では、作図上、第１反射ミラー２０１の上方となっている）には、被写体像を結像するために前述のスクリーンマット２０５が配置され、このスクリーンマット２０５の後方には、第２反射ミラー２７１、第３反射ミラー２７３、第４反射ミラー２７５が配置され、第２反射ミラー２７１の後方には、測光用センサ２８１が、また第４反射ミラー２７５の後方には結像レンズ２７７およびファインダ内ＣＣＤ２７９（図３中では、Ｆ内ＣＣＤと略記）が配置されている。そして、第４反射ミラー２７５の反射光軸上には接眼レンズ２０９が配置されている。
【００２２】
上述の第１反射ミラー２０１の中央付近はハーフミラーで構成されており、この第１反射ミラー２０１の背面には、ハーフミラー部を透過した被写体光束を反射するためのサブミラー２０３が設けられている。このサブミラー２０３は、第１反射ミラー２０１に対して回動可能であり、第１反射ミラー２０１が撮影光路から退避し、被写体光束がメインＣＣＤ２２１に入射しているときには、ハーフミラー部を覆う位置に回動し、第１反射ミラー２０１が図示の如き被写体像観察位置にあるときには、第１反射ミラー２０１に対して垂直となる位置にある。この第１反射ミラー２０１はミラー駆動機構２１９によって駆動されている。また、サブミラー２０３の反射光路上に測距用センサを含む位相差方式の測距回路２１７が配置されており、この回路は、レンズ１０１ａ、１０１ｂによって結像される被写体像の焦点ズレ量を検出するための回路である。
【００２３】
第１反射ミラー２０１の後方には、露光時間制御用のフォーカルプレーンタイプのシャッタ２１３が配置されており、このシャッタ２１３はシャッタ駆動機構２１５によって駆動制御される。シャッタ２１３の後方には二次元撮像素子としてのメインＣＣＤ２２１が配置されており、レンズ１０１ａ、１０１ｂによって結像される被写体像を電気信号に光電変換する。なお、本実施形態では撮像素子としてＣＣＤを用いているが、これに限らずＣＭＯＳ（Complementary Metal Oxide Semiconductor）等の二次元撮像素子を使用できることはいうまでもない。メインＣＣＤ２２１はＣＣＤ駆動回路２２３に接続され、このＣＣＤ駆動回路２２３によってアナログデジタル変換（ＡＤ変換）がなされる。ＣＣＤ駆動回路２２３は入出力回路２３９を介して後述するシーケンスコントローラ（以下、「ボディＣＰＵ」と称す）２２９から制御を受け、メインＣＣＤ２２１の電源のオン・オフ制御を行い、メインＣＣＤ２２１の撮像のタイミングを供給し、ファインダ内ＣＣＤ２７９の出力とのバラツキの調整を行い、光電変換信号の増幅（ゲイン調整）等を行う。後述するＣＣＤ駆動回路２８３も同様の機能を有する。ファインダ内ＣＣＤ２７９はスクリーンマット２０５に結像された被写体像を光電変換する撮像素子であり、メインＣＣＤ２２１と同様、ＣＭＯＳ等の撮像素子でもよく、また、画素数は、被写体像観察用に用いるだけなので、メインＣＣＤ２２１よりも少なくてもよい。このファインダ内ＣＣＤ２７９は、ＣＣＤ駆動回路２８３に接続され、このＣＣＤ駆動回路２８３によってアナログデジタル変換（AD変換）がなされる。
【００２４】
ＣＣＤ駆動回路２２３とＣＣＤ駆動回路２８３はＣＣＤ切換回路２８５に接続されており、このＣＣＤ切換回路２８５は入出力回路２３９からの切換制御ラインによって、いずれかのＣＣＤを選択出力するように制御される。ＣＣＤ切換回路２８５はＣＣＤインターフェース２２５を介して画像処理回路２２７に接続されている。この画像処理回路２２７は色補正、ガンマ(γ)補正、コントラスト補正、輪郭表示・カラーモード処理といった各種の画像処理を行う。画像処理回路２２７は、ＡＳＩＣ２６３内のデータバス２６１に接続されている。このデータバス２６１には、画像処理回路２２７の他、ボディＣＰＵ２２９、圧縮回路２３１、フラッシュメモリ制御回路２３３、ＳＤＲＡＭ（Synchronous Dynamic Random Access Memory）制御回路２３６、入出力回路２３９、通信回路２４１、記録媒体制御回路２４３、ビデオ信号出力回路２４７、スイッチ検出回路２５３が接続されている。
【００２５】
このデータバス２６１に接続されているボディＣＰＵ２２９は、このデジタル一眼レフカメラのフローを制御するものである。またデータバス２６１に接続されている圧縮回路２３１は後述するＳＤＲＡＭ２３７に記憶された画像データ等をＪＰＥＧで圧縮するための回路である。なお、画像圧縮はＪＰＥＧに限らず、他の圧縮方法も適用できる。データバス２６１に接続されているフラッシュメモリ制御回路２３３は、フラッシュメモリ２３５に接続され、このフラッシュメモリ２３５は、電子カメラのフローを制御するためのプログラムが記憶されており、ボディＣＰＵ２２９はこのフラッシュメモリ２３５に記憶されたプログラムに従って電子カメラの制御を行う。なお、フラッシュメモリ２３５は、電気的に書換可能な不揮発性メモリである。ＳＤＲＡＭ２３７は、ＳＤＲＡＭ制御回路２３６を介してデータバス２６１に接続されており、このＳＤＲＡＭ２３７は、画像処理回路２２７によって画像処理された画像情報または圧縮回路２３１によって圧縮された画像情報を一時的に記憶するためのメモリである。
【００２６】
上述のシャッタ駆動機構２１５、測距回路２１７、ミラー駆動機構２１９、ＣＣＤ駆動回路２２３、測光センサ２８１、ＣＣＤ駆動回路２８３、ＣＣＤ切換回路２８５を接続する入出力回路２３９は、データバス２６１を介してボディＣＰＵ２２９等の各回路とデータの入出力を制御する。レンズＣＰＵ１１１と図示しない通信接点を介して接続された通信回路２４１は、データバス２６１に接続され、ボディＣＰＵ２２９等とのデータのやりとりや制御命令の通信を行う。データバス２６１に接続された記録媒体制御回路２４３は、記録媒体２４５に接続され、この記録媒体２４５への画像データ等の記録の制御を行う。記録媒体２４５は、ｘDピクチャーカード(登録商標)、コンパクトフラッシュ(登録商標)、SDメモリカード(登録商標)、メモリスティック(登録商標)またはハードディスクドライブ（ＨＤ）等の書換え可能な記録媒体で構成され、カメラ本体２０に対して着脱自在となっている。
【００２７】
データバス２６１に接続されたビデオ信号出力回路２４７は液晶モニタ駆動回路２４９を介して液晶モニタ２６に接続される。ビデオ信号出力回路２４７は、ＳＤＲＡＭ２３７または記録媒体２４５に記憶された画像データを、液晶モニタ２６に表示するためのビデオ信号に変換するための回路である。液晶モニタ２６はカメラ本体２０の背面に図１に図示されるごとく配置されているが、撮影者が観察できる位置であれば、背面に限らないし、また液晶に限らず他の表示装置でも構わない。レリーズ釦２１の第1ストロークや第２ストロークを検出するスイッチや、モードダイヤル２２、パワースイッチ２３、コントロールダイヤル２４、再生釦２７、メニュー釦２８、十字キー３０、ＯＫ釦３１、スルー画切換釦３４、表示切換釦３５、プレビュー釦３６、レンズ検出スイッチ（不図示）等を含む各種スイッチ２５５（図３では各種ＳＷと略記）は、スイッチ検出回路２５３を介してデータバス２６１に接続されている。
【００２８】
次に、画像処理回路２２７内で行われる輪郭画像生成ための機能について、図１０を用いて説明する。前述したように画像処理回路２２７は種々の画像処理を行うが、その機能の一つとして輪郭画像処理がある。これは後述するように、本実施形態では、被写体が暗いためノイズが多く被写体像が見にくい場合や、また逆に周囲が高輝度であるために液晶モニタ２６の画面での反射光が強く被写体像の観察がし難い場合に、液晶モニタ２６に被写体像の輪郭を表示するようにしている。その構成として、ＣＣＤインターフェース回路２２５からの被写体像データを入力するスルー画像生成部４０１の出力は、切換スイッチ４０２に接続されている。切換スイッチ４０２は、その出力を、輪郭画像生成部４０３と、スルー画像データとに切換えるものであり、輪郭画像生成部４０３の出力はスルー画データとなる。
【００２９】
画像処理回路２２７内にボディＣＰＵ２２９からの指令に応じて「カラー表示／輪郭表示」のいずれかが設定され、切換スイッチ４０２はこの設定に応じたカラー表示／輪郭表示切換信号を受け、出力の切換を行う。カラー表示切換信号を受けた場合には、スルー画像生成部４０１からの出力をそのままスルー画データとして出力し、一方、輪郭表示切換信号を受けた場合には、輪郭画像生成部４０３に出力を切換え、この生成部４０３にて輪郭画像データに変換した後、スルー画データとして出力させる。輪郭画像生成部４０３は、被写体像から輪郭線のみを抽出し、例えば、図８（Ａ）に示されるような被写体像３０１に対して、図８（Ｃ）に示されるような輪郭線のみで表した被写体像３０９を生成するものである。なお、輪郭線の抽出はハードウエアで行ってもよいし、またボディＣＰＵ２２９と協働してソフトウエア的に処理しても構わない。
【００３０】
次に、図４を用いて、本実施形態におけるデジタル一眼レフカメラの表示・動作モードの階層構造を説明する。
主要な表示・動作モードは、情報表示Ｍ１００、Ａモード表示Ｍ２００およびＢモード表示Ｍ３００の３種類である。情報表示Ｍ１００は、カメラ本体２０が電源オンとなった状態で初期設定されている。この情報表示モードは、カメラの撮影にあたって基本的な情報の表示を行うものであって、液晶モニタ２６に、図９（Ａ）に図示するような撮影モード、シャッタスピード、絞り、ＡＦモード、フラッシュ、画素数等の情報表示の画面が表示される。プログラムモード、シャッタ速度優先モードといった撮影モードはモードダイヤル２２の回動操作によって設定される。また、感度、シャッタ速度、絞り値、補正値、画素数といった項目は、情報表示画面において十字キー３０を操作することによって項目を選択し、コントロールダイヤル２４の操作で数値を設定する。
【００３１】
Ａモード表示Ｍ２００は、スクリーンマット２０５に結像した被写体像をファインダ内ＣＣＤ２７９によって光電変換し、この光電変換信号に基づいて観察用の被写体像を液晶モニタ２６に表示するモードである。このモードでは、第１の反射ミラー２０１に備えられたサブミラー２０３を介して被写体光束が測距回路２１７に導かれるので、被写体像の観察と共に自動焦点検出動作も行うことができる。液晶モニタ２６での画面表示は、図８（Ａ）に示すように、画面左下にＡモード表示であることを示すために「Ａ」（符号３０５参照）が表示されている。また、このモードではスクリーンマット２０５上に刻印されたＡＦフレーム３０３も視認できる。
【００３２】
Ｂモード表示Ｍ３００は、第１反射ミラー２０１を撮影光路から退避させ、シャッタ２１３を開放状態として、直接、被写体光束をメインＣＣＤ２２１上に結像させ、この被写体像を光電変換信号に変換し、この信号に基づいて観察用の被写体像を液晶モニタ２６に表示するモードである。このモードでは、ファインダ光学系中のハーフミラーを用いず、被写体光束を直接メインＣＣＤ２２１で受光することから、ＣＣＤ２２１に到達する光量の減少を防止でき、低輝度の被写体に対しても被写体像を十分表示することができる。なお、第１の反射ミラー２０１が退避してしまうことから自動焦点検出は不作動となり、ピント合わせは手動で行う。液晶モニタ２６の画面左下にＢモード表示であることを示すために、図８（Ｂ）に示すように、「Ｂ」（符号３０７参照）が表示されている。また、このモードでは測距回路２１７による測距は不能であるので、Ａモード表示とは異なり、ＡＦフレームは表示されない。なお、Ａモード表示やＢモード表示を示すための符号は、「Ａ」「Ｂ」に限らず、「メインＣＣＤ」「ファインダ内ＣＣＤ」等、記号、文字、絵文字等でも良いことは勿論である。
【００３３】
前述したように、カメラ本体２０を電源オンとしたときには、情報表示Ｍ１００が初期設定される。この情報表示Ｍ１００からＡモード表示Ｍ２００またはＢモード表示Ｍ３００への切換は表示切換釦３５を操作することによって行われる。この場合、表示切換釦３５を操作すると、直近に設定されていたＡモード表示Ｍ２００またはＢモード表示Ｍ３００に切換えられる。なお、工場出荷時には、Ａモード表示をデフォルト値としておくと（勿論、Ｂモード表示も可能である）、最初、表示切換釦３５を操作した際に、Ａモード表示Ｍ２００に切換わり、再度、表示切換釦３５を操作すると情報表示Ｍ１００に戻る。Ａモード表示Ｍ２００に設定された際に、スルー画表示切換釦３４を操作するとＢモード表示Ｍ３００に切換わり、この状態で、再度、スルー画表示切換釦３４を操作すると、Ａモード表示Ｍ２００に戻る。Ｂモード表示Ｍ３００で表示切換ボタン３５を操作すると情報表示Ｍ１００に戻る。つまり、情報表示Ｍ１００からＡモード表示Ｍ２００またはＢモード表示Ｍ３００への切換は、表示切換ボタン３５を操作することによって、直近に設定されていたモードに移行し、Ａモード表示Ｍ２００とＢモード表示Ｍ３００間の切換はスルー画表示切換釦３４によって行うよう構成されている。
【００３４】
ここで、Ａモード表示Ｍ２００とＢモード表示Ｍ３００に設定されていたことは不図示の不揮発性メモリに記憶されているので、カメラ本体２０の電源がオフされたとしても、記憶が保持される。ただし、電源のオンに応じて、Ａモード表示かＢモード表示のいずれかにリセットするようにしても良いことは勿論である。なお、特殊なケースとして、レンズ鏡筒１０がカメラ本体２０から取り外されたことをレンズ検出スイッチ（不図示）によって検出した場合には、Ｂモード表示Ｍ３００から情報表示Ｍ１００に切換わる。
【００３５】
このように本実施形態では、被写体光束の光量は減少するが、自動焦点調節を行うことのできるＡモード表示と、自動焦点調節は不作動となるが、被写体光束の光量は減少せずに低輝度でも十分に被写体像を表示できるＢモード表示とを簡単な操作で切換えるようにしている。
【００３６】
次に、情報表示Ｍ１００の下部階層について説明する。情報表示Ｍ１００の状態で、プレビュー釦３６を押しオンとすると、プレビューＣが実行され（Ｍ１１０）、プレビュー釦３６から手を離しオフとすると、情報表示Ｍ１００に戻る。情報表示Ｍ１００で、レリーズ釦２１の半押しを行うと（１Ｒオン）、測光、測距等の撮影準備動作を行い（Ｍ１２０）、さらにレリーズ釦２１の全押しを行うと（２Ｒオン）、メインＣＣＤ２２１の出力を読み出し、記録用画像データを記録媒体２４５に記録する撮影動作Ｃを実行する（Ｍ１２１）。撮影動作が終了し、レリーズ釦２１の半押しを解除（１Ｒオフ）すると、情報表示Ｍ１００に戻る。また、メニュー釦２８をオンにすると、図９（Ｂ）に図示するようなカードセット、ドライブモード、フラッシュ補正等を設定するメニュー画面が現われる（Ｍ１３０）。この画面で十字キー３０を操作することによりカーソルを移動させ、好みの項目を選択し、ＯＫ釦３１を押すことによって決定することができる（Ｍ１３１）。メニュー表示Ｍ１３０から、メニュー釦２８またはＯＫ釦３１をオンにすると、情報表示Ｍ１００に戻ることができる。さらに、情報表示Ｍ１００の画面（図９（Ａ））において、モードダイヤル２２、コントロールダイヤル２４や十字キー３０を操作して好みのモード・値に設定できる（Ｍ１４０）。
【００３７】
次にＡモード表示Ｍ２００の下部階層に移って、まず、Ａモード表示Ｍ２００でプレビュー釦３６を押しオンとすると、プレビューＡを実行する（Ｍ２１０）。プレビューＡは、設定された絞り値まで絞り１０３を絞り込んだ状態でメインＣＣＤ２２１からの画像信号に基づいて被写体像を液晶モニタ２６に表示するモードである。プレビュー釦３６から手を離し、オフとすることにより、プレビューモードを解除し、Ａモード表示Ｍ２００に戻る。
【００３８】
Ａモード表示において、レリーズ釦２１が半押しされ１Ｒがオンとなると、撮影準備動作Ｍ１２０と同様に撮影準備が行われ（Ｍ２２０）、さらにレリーズ釦２１が全押しされ２Ｒがオンとなると、撮影動作Ａが行われる（Ｍ２２１）。また、メニュー釦２８をオンすると、図９（Ｂ）に示すメニュー画面が現わる（Ｍ２３０）。この状態で、十字キー３０を操作し、カーソルを移動させ項目を選択し、ＯＫ釦３１で所望の項目を決定し、メニュー表示Ｍ２３０に戻る（Ｍ２３１）。この表示状態でメニュー釦２８またはＯＫ釦３１のオンで、Ａモード表示Ｍ２００に戻る。
【００３９】
次に、Ｂモード表示Ｍ３００の下部階層に移って、まず、Ｂモード表示Ｍ３００でメニュー釦２８が押されオンになると、図９（Ｂ）に示されるようなメニュー表示となる（Ｍ３１０）。ここで、十字キー３０を操作し（Ｍ３１１）、好みの項目をＯＫ釦３１によって決定すると、メニュー表示Ｍ３１０に戻る。メニュー表示からは、メニュー釦２８またはＯＫ釦３１をオンとすることにより、Ｂモード表示Ｍ３００に戻ることができる。Ｂモード表示状態で、レリーズ釦２１が半押しされていても、第１反射ミラーが退避状態にありシャッタが開放状態であるので、特に何も動作しないが、レリーズ釦２１が全押しされ２Ｒがオンとなると、メインＣＣＤからの画像信号に基づいて記録用画像データを記録媒体２４５に記録する撮影動作Ｂを実行する（Ｍ３２０）。また、プレビュー釦３６がオンとなると、絞り１０３の絞込み動作を行い、メインＣＣＤ２２１からの画像信号に基づいて液晶モニタ２６にスルー画表示を行うプレビューＢを実行する（Ｍ３３０）。このプレビューＢもプレビューＡと同様に、設定された絞り値まで絞り１０３を絞り込んだ状態でメインＣＣＤ２２１からの画像信号に基づいて被写体像を液晶モニタ２６に表示するモードである。
【００４０】
次に、図４に示した表示・動作モードの詳細について、図５乃至図７に示すフローチャートを用いて説明する。図５は図４に示すＡモード表示Ｍ２００のフローチャートである。前述したように表示切換釦３５がオンとなるとファインダ内ＣＣＤ２７９からの出力に基づいて被写体像を表示するＡモード表示の動作を行う。まず、ファインダ内ＣＣＤ２７９の駆動条件を決めるために、ステップＳ１において、測光センサ２８１の出力に基づいて測光・露光量演算（即ち、被写体輝度値、シャッタスピードと感度を求める）を行う。次に、ファインダ内ＣＣＤ２７９を選択し（Ｓ３）、これに電源を供給する（Ｓ５）。続いて、ＣＣＤ駆動にあたっての電子シャッタスピードと感度の条件設定を行うために、ステップＳ１で求めた測光・露光量の演算結果を用いてスルー画条件設定１のサブルーチンを実行する（Ｓ７）。このサブルーチンの実行によって液晶モニタ２６に適切な明るさ（明度）の像を表示することができる。また被写体輝度が低輝度で被写体像にノイズが多く見にくい場合や逆に被写体輝度が高輝度で液晶モニタ２６の画面が強く反射し見にくい場合の対策も行っている。このサブルーチンの詳細は図７を用いて後述する。スルー画条件設定１が終了すると、Ａモード表示を開始する（Ｓ９）。
【００４１】
次に、ステップＳ１と同様に再び測光・露光量演算を行い（Ｓ１１）、演算された露光量の表示を行う（Ｓ１３）。続いて、液晶モニタ２６におけるスルー画表示の明度を適切に保つためにスルー画条件設定２のサブルーチンを実行する（Ｓ１５）。ステップＳ７でのスルー画条件設定１は液晶モニタ２６でのＡモード表示前であったので、測光センサ２８１の出力に基づいて行ったが、スルー画条件設定２では、狙いとする明度と前回撮像結果に基づく画面明度と差分から次回撮像時の電子シャッタスピードと感度を決定する。なお、ここで、明度とは、例えば、ＣＣＤの各画素出力の加重平均値に対応した値である。この後、レリーズ釦２１が半押しされたかどうか、即ち、１Ｒがオンとなったかを判定する（Ｓ２１）。
【００４２】
判定の結果、１Ｒがオンの場合には、撮影動作時の露光制御に使用するための測光・露光量演算を行い（Ｓ２３）、測距・焦点調節のサブルーチンを実行する（Ｓ２５）。測距・焦点調節のサブルーチンは、測距回路２１７の出力に基づいて撮影レンズ１０１の焦点ズレ量を演算し、この焦点ズレ量に基づいてレンズ駆動量を演算し、レンズＣＰＵ１１１を介してレンズ駆動機構１０７を駆動し、ピント合わせを行う。続いて、レリーズ釦２１が全押しされたかどうか、即ち、２Ｒがオンとなったかを判定し、オフの場合には、レリーズ釦２１が半押しのままかどうかを判定し（Ｓ２９）、オンの場合には、ステップＳ２７とＳ２９を繰り返し実行する待機状態となる。この状態でレリーズ釦２１から撮影者の手が離れると、ステップＳ２９をＮで抜け、再びステップＳ１１に戻る。一方、レリーズ釦２１の全押しがなされると、ステップＳ３１に進み、Ａモード表示を停止し、即ち、液晶モニタ２６でスルー画表示を行っていたことを止め、ファインダ内ＣＣＤ２７９の電源をオフし（Ｓ３３）、撮影動作Ａに移る（Ｍ２２１）。撮影動作Ａでは、第１反射ミラー２０１を撮影光路から退避させ、絞り１０３を設定値まで絞込み、シャッタ２１３を開放し、メインＣＣＤ２２１による撮像動作を行った後、第１反射ミラー２０１を反射位置に戻し、また絞り１０３とシャッタ２１３を初期位置に戻すという公知の動作を実行する。撮影動作が終了すると、ステップＳ１に戻り、前述のステップを繰り返す。
【００４３】
ステップＳ２１に戻り、１Ｒがオフの場合には、ステップＳ４１において、プレビュー釦３６がオンかどうかを判定する。オンの場合には、Ａモード表示を固定し、即ち、液晶モニタ２６に表示されているスルー画としての表示用被写体画像の更新を行うことなく、そのまま保持する（Ｓ４３）。これは、プレビュー動作では絞り１０３が絞り込まれ、被写体輝度が低下する際に、スルー画条件の設定が十分追従できず、画像の明るさが不自然に変化する。この不自然な変化を防止するために、画像が安定するまで、スルー画の更新を停止するものである。この後、プレビューＡ（Ｍ２１０）に移り、絞り１０３を設定値に絞り込んだ状態でメインＣＣＤ２２１の出力に基づいて液晶モニタ２６に被写体像をスルー画表示する。
【００４４】
ステップＳ４１に戻り、プレビュー釦３６がオフであった場合には、ステップＳ４５に進み、表示切換釦３５が押されたかどうか、即ち、オンかどうかを判定する。オンであった場合には、図４で説明した情報表示Ｍ１００に戻る。オフであった場合には、ステップＳ４７に進み、メニュー釦２８が押されたかどうか、即ち、オンかどうかを判定し、オンの場合には、図４で説明したメニュー表示Ｍ２３０に進む。メニュー釦２８がオフの場合には、ステップＳ４９に進み、スルー画切換釦３４がオンか否かを判定する（Ｓ４９）。オフだった場合には、いずれの釦も操作されていない状態であるので、ステップＳ１１に戻り、前述したフローを繰り返す。Ａモード表示Ｍ２００の状態で、スルー画表示釦３４が操作されると、前述したように、Ｂモード表示Ｍ３００に切換えられる。そこで、Ｓ４９でオンと判定された場合には、まず、ステップＳ４３と同様に、Ａモード表示の固定を行ってから、Ｂモード表示（Ｍ３００）に進む。
【００４５】
次に図６を用いてＢモード表示Ｍ３００のフローを説明する。Ｂモード表示に入ると、まず、メインＣＣＤ２２１を選択し（Ｓ６１）、このメインＣＣＤ２２１に電源の供給を開始する（Ｓ６３）。次に、ステップＳ１と同様に、測光・露光量演算を行い（Ｓ６５）、第１反射ミラー２０１を軸２０１ａ回りに回動させ、撮影光路から退避させる（Ｓ６７）。続いて、フォーカルプレーンシャッタ２１３を開放状態とし（Ｓ６９）、被写体像をメインＣＣＤ２２１上に結像させる。ステップＳ７と同様に、スルー画表示条件の設定１のサブルーチンを実行し（Ｓ７１）、Ｂモード表示でのスルー画表示を開始させる（Ｓ７３）。Ａモード表示Ｍ２００からＢモード表示Ｍ３００に切換えた場合には、ステップＳ５１のＡモード表示固定からステップＳ７３のＢモード表示開始までの間、液晶モニタ２６の表示は固定されているが、このステップＳ７３においてＢモード表示、即ち、メインＣＣＤ２２１から出力される画像信号に基づくスルー画表示に切換わる。次に、タイマーをスタートさせステップＳ８１に進む。
【００４６】
ステップＳ８１では、レリーズ釦２１が全押しされているか、即ち、２Ｒがオンかを判定し、オンの場合には、撮影動作に進む。まず、液晶モニタ２６に表示されているスルー画表示を止め、即ちＢモード表示を停止し（Ｓ８３）、フォーカルプレーンシャッタ２１３と第１反射ミラー２０１を初期状態に戻す（Ｓ８５、Ｓ８７）。この後撮影動作Ｂ（Ｍ３２０）に移り、第１反射ミラー２０１を撮影光路から退避させ、絞り１０３を設定値まで絞込み、シャッタ２１３を開放し、メインＣＣＤ２２１による撮像動作を行った後、第１反射ミラー２０１を反射位置に戻し、また絞り１０３とシャッタ２１３を初期位置に戻す。ステップＳ８１に戻り、２Ｒがオフの場合にはステップＳ９１に進み、プレビュー釦３６がオンか否かを判定する。オンだった場合にはプレビュー動作に入り、Ｂモード表示の固定を行う（Ｓ９３）。これはステップＳ４３のＡモード表示の固定と同様、絞込み時に画像の明るさが不自然に変化することを防止するためである。この後、プレビューＢ（Ｍ３３０）に進み、絞り１０３を設定値に絞り込んだ状態で、メインＣＣＤ２２１の出力に基づいて液晶モニタ２６に被写体像をスルー画表示する。
【００４７】
ステップＳ９１に戻り、プレビュー釦３６がオフだった場合には、ステップＳ１０１にて表示切換釦３５がオンか否かの判定を行う。オンだった場合には、情報表示Ｍ１００に戻るが、その前にＢモード表示を終了するための処理をＳ１０３からＳ１０９にて行う。まず、Ｂモード表示を停止し（Ｓ１０３）、フォーカルプレーンシャッタ２１３を閉じ、第１反射ミラー２０１を退避位置からファインダ光学系に光束を反射する位置に復帰させ（Ｓ１０７）、メインＣＣＤ２２１の電源をオフする（Ｓ１０９）。これらの動作が終了すると、情報表示Ｍ１００に移る。
【００４８】
ステップＳ１０１に戻り、表示切換釦３５がオフだった場合には、ステップＳ１１１に進みメニュー釦２８がオンか否かを判定する。判定の結果、オンだった場合には、メニュー表示Ｍ３１０表示を行うが、その前にＢモード表示でのスルー画表示を停止するための処理をステップＳ１１３からＳ１１９にて行う。この処理は、前述のステップＳ１０３からＳ１０９と同様であるので、説明は省略する。
【００４９】
ステップＳ１１１に戻り、判定の結果、オフだった場合には、ステップＳ１２１にてスルー画切換釦３４がオンか否かを判定する。判定の結果、オンだった場合には、Ｂモード表示Ｍ３００からＡモード表示Ｍ２００に切換えるが、その前にステップＳ１２３からＳ１２９にて切換処理を行う。まず、ステップＳ１２３にてＢモード表示の固定を行う。これはスルー画表示モードの切換時の画像の乱れを防止するためである。続くステップＳ１２５からＳ１２９は、前述のステップＳ１０５からＳ１０９と同様であるので、説明は省略する。
【００５０】
ステップＳ１２１に戻り、判定の結果、オフだった場合には、ステップＳ１３１に進み、カメラ本体２０からレンズ鏡筒１０が外されたか否かを、レンズ検出スイッチ（不図示）の出力に基づいて判定する。判定の結果Ｙｅｓだった場合、即ち、レンズ鏡筒１０が取り外された場合には、情報表示Ｍ１００を行う。Ｂモード表示では、第１反射ミラー２０１が撮影光路から退避し、フォーカルプレーンシャッタ２１３が開放状態となっている。このため、メインＣＣＤ２２１が外部に直接、露出した状態となってしまい、塵芥等が付着するおそれがある。したがって、Ｂモード表示Ｍ３００を終了することによって、メインＣＣＤ２２１の撮像面に塵芥等が付着することを防止する。Ｂモード表示を終了するために、ステップＳ１３３からＳ１３９にて処理を行うが、これらのステップは前述のステップＳ１０３からＳ１０９と同様であるので、説明は省略する。
【００５１】
ステップＳ１３１に戻り、判定の結果、Ｎｏだった場合には、レンズ鏡筒１０は装着されたままであり、ステップＳ１４１に進み、ステップＳ７５でスタートしたタイマーの値が、所定時間、経過したか否かを判定する。判定の結果、所定時間が経過していない場合には、ステップＳ１４３にて、スルー画条件の設定２のサブルーチンを実行した後、前述のステップＳ８１に進む。一方、所定時間が経過した場合には、Ｂモード表示を終了し、情報表示Ｍ１００を行うために、ステップＳ１３３に進む。このように、Ｂモード表示が所定時間経過すると終了するようにしているのは、Ｂモード表示を長時間連続すると、メインＣＣＤが発熱し、その出力画像にノイズが発生するおそれがあるためである。
【００５２】
以上説明したように、本実施形態においては、Ａモード表示とＢモード表示の切換時における被写体像の乱れを防止するために、モニタにおける被写体像をフリーズしている。即ち、Ａモード表示からＢモード表示への切換時は、ステップＳ５１からステップＳ７３までＡモード表示でフリーズし、Ｂモード表示からＡモード表示への切換時は、ステップＳ１２３からＳ９までＢモード表示でフリーズしている。なお、フリーズの終了は所定の動作に応じて行う方法の他、例えば、画像が安定するまでの所定時間フリーズする等、種々の方法を適宜選択すればよい。また、本実施形態では、Ａモード表示とＢモード表示の両方の切換時に表示のフリーズを行っていたが、いずれかの表示モードのみに対しても適用できる。
【００５３】
また、Ｂモード表示では、レンズ鏡筒１０が外されたことを検出した場合には、Ｂモード表示を停止するようにしているので、撮影者に対して警告表示になる。さらに、撮像素子を覆うようにシャッタおよび可動ミラーを駆動しているので、塵芥の付着を防止できる。本実施形態では、第１反射ミラー２０１とフォーカルプレーンシャッタ２１３の両方で、メインＣＣＤ２２１を覆うようにしているが、いずれか一方のみでメインＣＣＤ２２１を覆うようにしても、十分、塵芥等の付着を防止できる。なお、Ａモード表示で使用するＣＣＤ２７９はファインダ内にあるために塵芥の付着のおそれは殆どないので、レンズ鏡筒１０が外されてもＡモード表示を続行するように構成してあるが、外されたことを検出した場合にはＡモード表示を停止し、情報表示Ｍ１００を表示するようにしても良いことは勿論である。
【００５４】
次に、「スルー画条件の設定１」と「スルー画条件設定２」について図７を用いて説明する。このサブルーチンは前述したように、液晶モニタ２６に被写体画像を表示する際の画像明度の調整を行い、また、被写体輝度が低輝度の場合と逆に高輝度の場合の不具合を対策するためのものである。まず、スルー画条件設定１のサブルーチンに入ると、ステップＳ３４１において、測光センサ２８１の出力ＢＶｓに基づいて次回撮像時の電子シャッタスピードＴＶ１と感度ＳＶ１の決定を行う。スルー画表示時における絞り値は開放絞りであるので、この絞り値をＡＶｓとすると、
ＡＶｓ＋ＴＶ１＝ＢＶｓ＋ＳＶ１
の関係があり、
ＢＶｓ−ＡＶｓ＝ＴＶ１−ＳＶ１
となる。この式の左辺は既知の値であるので、左辺の値からＴＶ１とＳＶ１を適宜、プログラムラインやテーブルに従って求めればよい。この後、決定された電子シャッタスピードＴＶ１と感度ＳＶ１をそれぞれのレジスタに記憶・設定する（Ｓ３４７）。ＣＣＤ駆動回路２２３又はＣＣＤ駆動回路２８３は、ここで設定・記憶されたＴＶ１とＳＶ１に基づいてＣＣＤ２２１又は２７９の駆動制御を行い、光電変換信号の読み出しを行う。
【００５５】
続いてステップＳ３４９以下において、撮影レンズ１０１を通過した被写体光量が減少した場合と、周囲が高輝度のために液晶モニタ２６が見にくい場合の対策を行う。メインＣＣＤ２２１またはファインダ内ＣＣＤ２７９に受光する光量が減少した場合に、液晶モニタ２６の画面を一定明度に保つため、電子シャッタスピードを遅くし、また感度（増幅率）をアップするようにしている。しかし、感度を上げるとノイズが多くなり、ざらざらとした画面となる。そこで、ＣＣＤに受光する被写体光量が第１の所定値より少ない場合には、情報量が少なくてすむ輪郭表示モードにし、一方、第１の所定値より光量が多い場合には、カラーモードで表示するようにしている。この場合、輪郭表示モードとカラーモードの切換を一つの閾値とすると、被写体光量がこの閾値前後で変化する場合には、輪郭表示モードとカラーモードが小刻みに変化し、見苦しいものとなる。そこで、輪郭表示モードとカラーモードの切換を行うための閾値にヒステリシス特性を持たせている。
【００５６】
また、周囲が高輝度で第１の所定値より高い第２の所定値以上の高輝度にある場合には、液晶モニタ２６の画面表面での反射光が強く、被写体像を観察し難いので、輪郭表示モードに変更する。第１の所定値よりも低い場合と同様、被写体光量が輪郭表示モードとカラー表示モードの閾値付近で小刻みに変化すると見苦しいので、閾値にヒステリシス特性を持たせている。したがって、本実施形態では、被写体輝度に関連した値が第１の所定値より低い場合と第２の所定値より高い場合、すなわち低輝度の場合と高輝度の場合に、被写体像の輪郭を表示する輪郭表示モードとし、被写体輝度が第１所定値と第２所定値の間にある場合に通常の表示モードとしてカラー表示を行っている。
【００５７】
ステップＳ３４９において、現在の表示が輪郭表示モードか否かの判定を行う。カラーモードと輪郭表示モードの設定は、画像処理回路２２７によってなされるので、ここでの判定は画像処理回路２２７に設定されているモードに基づいて行う。判定の結果、カラーモードであった場合には、ステップＳ３５１に進み、ＴＶ１−ＳＶ１＜αか否か、即ち、電子シャッタスピードと感度の差が所定値（閾値）αより小さいか否かの判定を行う。ここで、所定値αは適宜、設計値として設定すればよいが、例えば、電子シャッタスピードＴＶ１の下限値としては１／１６秒（ＴＶ＝４）、感度ＳＶ１の上限値はＩＳＯ１６００（ＳＶ＝９）とすると、所定値α＝４−９＝−５となる。所定値αより小さい場合には、即ち、被写体光量が少なく暗い場合には、画像処理回路２２７を輪郭表示モードに設定し（Ｓ３５３）、元のフローに戻る。
【００５８】
ステップＳ３５１でＴＶ１−ＳＶ１が所定値αより大きかった場合には、ステップＳ３５２に進む。ここでは、被写体光量が十分ありすぎ高輝度のために液晶モニタ２６が見にくいかどうかの判定を行う。このためにＴＶ１−ＳＶ１＞βか否か、即ち、電子シャッタスピードと感度の差が所定値（閾値）βより大きいか否かの判定を行う。ここで、所定値βは適宜、設計値として設定すればよいが、例えば、電子シャッタスピードＴＶ１の上限値としては１／１０００秒（ＴＶ＝１０）、感度ＳＶ１としてＩＳＯ１００（ＳＶ＝５）とすると、所定値β＝１０−５＝５となる。所定値βより大きい場合には、即ち、被写体光量が多く明るい場合には、画像処理回路２２７を輪郭表示モードに設定し（Ｓ３５３）、元のフローに戻る。また、ステップＳ３５２での判定の結果、ＴＶ１−ＳＶ１＜βであった場合には、ＴＶ１−ＳＶ１がαとβの間にあり、程よい明るさであることから、そのまま画像処理回路２２７のカラー表示モードの設定を変えず、元のフローに戻る。
【００５９】
ステップＳ３４９に戻り、現在、輪郭表示モードであった場合には、ステップＳ３５４に進み、ＴＶ１−ＳＶ１＞β−Δβか否かの判定を行う。これは、前述した閾値βの前後で小刻みに変化することを防止するためにヒステリシスを持たせるためのステップである。ここで、Δβは、適宜、設計値を設定すればよいが、輪郭表示とカラーの切換が頻繁に起こらず、かつ見易い画面となる値として０．５より大きく１．５より小さな値が好ましく、さらに好ましくはΔβ＝１である。判定の結果、ＴＶ１−ＳＶ１がβ−Δβよりも大きい場合、すなわち輪郭表示モードが設定されており、今回の判定でも高輝度であった場合には、輪郭表示モードを維持して、そのままもとのフローに戻る。
【００６０】
ステップＳ３５４での判定の結果、ＴＶ１−ＳＶ１がβ−Δβよりも小さい場合、すなわち輪郭表示モードが設定されていたが、今回の判定では高輝度ではなくなった場合にはステップＳ３５５に進み、ＴＶ１−ＳＶ１＜α＋Δαか否かの判定を行う。Δαも、適宜、設計値を設定すればよいが、輪郭表示とカラーの切換が頻繁に起こらず、かつ見易い画面となる値として０．５より大きく１．５より小さな値が好ましく、さらに好ましくはΔα＝１である。ステップＳ３５５での判定の結果ＴＶ１−ＳＶ１がα＋Δαよりも小さかった場合には、高輝度状態から低輝度状態に変化し、状況は異なるが、液晶モニタ２６よる被写体像の観察にあたってノイズを減らすために、輪郭表示モードを維持して、そのまま元のフローに戻る。一方、ＴＶ１−ＳＶ１がα＋Δαよりも大きかった場合には、低輝度状態から程よい輝度に変化したことから、輪郭表示モードを解除して（Ｓ３５５），カラー表示モードを画像処理回路２２７に設定して元のフローに戻る。
【００６１】
次に、「スルー画条件設定２」を説明する。設定２のサブルーチンに入ると、まず、狙いの画像明度（所定値）と前回撮像時の画像明度との差ΔＥＶを算出する（Ｓ３４３）。続いて、画像明度が一定となるように、次回撮像時の電子シャッタスピードＴＶ１と感度ＳＶ１を決定する（Ｓ３４５）。この決定にあたっては、次の要素から求める。
・前回撮像時の絞り値ＡＶ０
・現在設定されている絞り値ＡＶ１
・前回撮像時の電子シャッタスピードＴＶ０
・前回撮像時の感度ＳＶ０
・狙いの画像明度と前回撮像時の画像明度との差ΔＥＶ
まず、露出条件の基本式として
ＡＶ０＋ＴＶ０＝ＢＶ０＋ＳＶ０  
である。
【００６２】
ここで、ＢＶ０は前回の輝度であるが、真の値は分からず、上記基本式では仮の値としている。真の輝度値ＢＶ０は、狙いとの差、即ち、ΔＥＶだけ外れていることから、
ＢＶ０＝ＡＶ０＋ＴＶ０−ＳＶ０＋ΔＥＶ
＝ＡＶ１＋ＴＶ１−ＳＶ１
となり、この関係式からＴＶ１とＳＶ１を求める。ここで、差ΔＥＶは、例えば、撮像素子の各画素の出力の加重平均と狙いとする値との差から求めればよい。このステップＳ３４５を終了すると、前述したステップＳ３４７に進み、所定のステップを実行した後、元のフローに戻る。
【００６３】
このスルー画条件設定のサブルーチンにおいて、被写体光量が少ない場合には、輪郭表示モードに設定するようにしたので、暗い場合でもモニタ画像にノイズや、ざらつきを少なくすることができる。また、カラーと輪郭表示の切換時にヒステリシス特性をもたせたので、小刻みに輪郭表示とカラーに切換わることがなく見やすくなる。なお、輪郭表示モードに入るかどうかと輪郭表示モードを解除するかどうかの判定は、本実施形態においては、電子シャッタスピードＴＶ１と感度ＳＶ１との差に基づいて行っているが、両方を同じデータに基づかなくてもよい。例えば、輪郭表示モードに入るかどうかはＴＶ−ＳＶ値とし、解除はＳＶ値に基づいて判定してもよく、また、輪郭表示モードに入るときには、ＴＶ値だけとし、解除はＳＶ値に基づくようにしても良い。さらに、被写体輝度Ｂｖ値そのものを検出または演算により求め、これを用いて判定するようにしても良いことは勿論である。
【００６４】
また、本実施形態では、高輝度で液晶モニタ２６の画面の反射光が強く被写体像を観察しにくい状況において、被写体像の輪郭を表示するようにしたので、被写体像を見やすくなるという効果がある。輪郭表示にあたっては周囲の輝度に応じて、輪郭線を太くしたり、また色を変えるなど種々の変更を加えてもよい。
【００６５】
なお、本実施形態では撮像素子として、メインＣＣＤ２２１またはファインダ内ＣＣＤ２７９が相当するが、本実施形態のように撮影レンズ１０１を透過した被写体光に限らず、撮影レンズ１０１とは別のレンズを透過した被写体光を受けて、被写体像をモニタ装置に表示する場合であれば、図７に示したようなルーチンを適用できる。この場合には、低輝度の場合の被写体像のノイズ対策を行うことができ、また高輝度の場合のモニタ装置の画面での反射光による不具合対策を行うことができる。また、本実施形態では、被写体輝度の測定にあたって、測光センサ２８１の出力を利用していたが、これに限らず、撮像素子の出力を利用することも可能である。高輝度時の測定は、カメラ本体、特に液晶モニタ２６の画面に入射する輝度を測定するようにすれば、さらに精度を向上することができる。さらに、低輝度や高輝度ではない場合にはカラー表示を行っていたが、カラー表示に加えて、被写体輝度によっては白黒表示等の表示を行うようにしても良い。
【００６６】
本実施形態のデジタル一眼レフカメラは、被写体光束を受光し、被写体像に関する信号を出力する撮像素子としてのメインＣＣＤ２２１またはファインダ内ＣＣＤ２７９と、この撮像素子の出力に基づいて、被写体像をスルー画表示するためのモニタとしての液晶モニタ２６と、被写体輝度を測定するための測光センサ２８１を具備し、被写体像をスルー画表示するにあたって、被写体輝度に関連する値が所定条件に該当する場合に、カラー画像表示から被写体像の輪郭表示に切り換えるようにしたので（ステップＳ３５１、Ｓ３５２、Ｓ３５３参照）、被写体が低輝度すぎてノイズが多い場合や、逆に高輝度でモニタが見にくい場合に輪郭表示に切換わり、大変、被写体像を観察し易くすることができる。
【００６７】
また、本実施形態のデジタル一眼レフカメラは、電子シャッタスピードと感度のいずれか一つまたはその組み合わせに基づく値（例えば、ＴＶ１−ＳＶ１）が第１の所定値（例えば、所定値α）より低い場合には、輪郭表示に切換動作を実行するようにしたので、被写体が低輝度でノイズが多いような場合に、輪郭表示することにより、被写体像を観察し易くすることができる。
さらに、本実施形態のデジタル一眼レフカメラは、電子シャッタスピードと感度のいずれか一つまたはその組み合わせに基づく値（例えば、ＴＶ１−ＳＶ１）が第２の所定値（例えば、所定値β）より高い場合には、輪郭表示に切換動作を実行するようにしたので、高輝度でモニタの画面が反射光で見にくいような場合でも、輪郭表示することにより、被写体像を観察し易くすることができる。
さらに、本実施形態のデジタル一眼レフカメラは、電子シャッタスピードと感度のいずれか一つまたはその組み合わせに基づく値（例えば、ＴＶ１−ＳＶ１）は、狙いとする画像明度と前回撮像時の画像明度との差、前回撮像時の絞り値、現在設定の絞り値、前回の電子シャッタスピード、前回撮像時の感度のいずれかを用いて決定するようにしたので、カメラ本体内で従来から使用している値ばかりであり、特別な回路等を付加する必要がない。
【００６８】
本実施形態におけるスルー画表示方法は、撮影レンズ１０１を通過した被写体光束を受光する撮像素子としてのメインＣＣＤ２２１またはファインダ内ＣＣＤ２７９の出力に基づいて、モニタとしての液晶モニタ２６に被写体像をカラーでスルー画表示し（ステップＳ９、Ｓ７３参照）、被写体輝度（ステッププＳ１、Ｓ６５、Ｓ３４７）に応じた値（例えば、ＴＶ１−ＳＶ１）を検出し、この値が第１の所定値（例えば、所定値α）よりも低い場合、若しくは第２の所定値（例えば、所定値β）よりも高い場合には、被写体像の輪郭表示に切り換えるようにしたので（ステップＳ３５１、Ｓ３５２、Ｓ３５３参照）、被写体が低輝度すぎてノイズが多い場合や、逆に高輝度でモニタが見にくい場合に輪郭表示に切換わり、大変、被写体像を観察し易くすることができる。
【００６９】
本実施形態におけるデジタルカメラは、被写体光束を受光し、被写体像に関する信号を出力する撮像素子としてのメインＣＣＤ２２１またはファインダ内ＣＣＤ２７９と、この撮像素子の出力に基づいて、被写体像を表示するためのモニタとしての液晶モニタ２６と、輝度を測定する測光手段としての測光センサ２８１を具備し、モニタによる被写体像の表示にあたって、輝度に関連する値（例えば、ＴＶ１−ＳＶ１）が所定条件に該当する場合に、カラー画像表示から被写体像の輪郭表示に切り換えるようにしたので（ステップＳ３４９〜Ｓ３５７参照）ので、被写体が低輝度すぎてノイズが多い場合や、逆に高輝度でモニタが見にくい場合に輪郭表示に切換わり、大変、被写体像を観察し易くすることができる。
また、本実施形態におけるデジタルカメラは、カラー画像表示から被写体像の輪郭表示の切換にあたってヒステリシス特性を持たせたので、閾値における小刻みな切換わりを防止することができる。
【００７０】
なお、本発明は、一眼レフカメラに限らず、被写体像を撮像する撮像素子の出力に基づいて被写体像をモニタ装置に表示するスルー画表示機能を有するデジタルカメラであれば適用できることは勿論である。
【図面の簡単な説明】
【００７１】
【図１】本発明の一実施形態に係わるデジタル一眼レフカメラの外観斜視図である。
【図２】一実施形態に係わるデジタル一眼レフレックスカメラの光学的な概略構成を示すブロック図である。
【図３】一実施形態に係るデジタル一眼レフカメラの全体構成を示すブロック図である。
【図４】一実施形態におけるデジタル一眼レフカメラの表示モードおよびその動作モード・メニューの階層構造を示すブロック図である。
【図５】一実施形態におけるＡモード表示のフローチャートである。
【図６】一実施形態におけるＢモード表示のフローチャートである。
【図７】一実施形態におけるスルー画条件の設定１とスルー画条件の設定２のフローチャートである。
【図８】一実施形態における液晶モニタにおけるスルー画表示モードの表示画面であり、（Ａ）はＡモード表示、（Ｂ）はＢモード表示、（Ｃ）は輪郭表示モード表示を示す。
【図９】一実施形態における液晶モニタにおける表示であって、（Ａ）は情報表示画面、（Ｂ）はメニュー表示画面を示す。
【図１０】一実施形態における画像処理回路内の機能ブロック図である。
【符号の説明】
【００７２】
１０  レンズ鏡筒
２０  カメラ本体
２１  レリーズ釦
２２  モードダイヤル
２３  パワースイッチ
２４  コントロールスイッチ
２６  液晶モニタ
２７  再生釦
２８  メニュー釦
３０  十字キー
３１  ＯＫ釦
３３  ファインダ
３４  スルー画切換釦
３５  表示切換釦
３６  プレビュー釦
１０１  撮影レンズ
２０１  第1反射ミラー
２１３  フォーカルプレーンシャッタ
２２１  メインＣＣＤ
２２７  画像処理回路
２２９  ボディＣＰＵ
２７９  ファインダ内ＣＣＤ
２８１  測光センサ
【図１】
2007258978.tif 000003
【図２】
2007258978.tif 000004
【図３】
2007258978.tif 000005
【図４】
2007258978.tif 000006
【図５】
2007258978.tif 000007
【図６】
2007258978.tif 000008
【図７】
2007258978.tif 000009
【図８】
2007258978.tif 000010
【図９】
2007258978.tif 000011
【図１０】
2007258978.tif 000012